(57)【特許請求の範囲】
【請求項１】
時計のリピータ時打ち機構（１００）用の時打ち機構ユニット（２）であって、
枢動軸（Ｄ）の周りで枢動できるように取り付けられた筒部（４）を備える駆動プレート（３）を含み、前記駆動プレート（３）がクリック（５）を支持し、前記クリック（５）が、ばね（７）によって前記軸（Ｄ）に向けて戻される爪（６）の付いたフック（６）を含み、前記ユニット（２）がさらに移動止めラチェット（９）を含み、前記移動止めラチェット（９）が、前記軸（Ｄ）の周りで枢動し、ピン（８）を支持し、前記移動止めラチェット（９）が枢動するときに、前記ピン（８）が、前記フック（６）を動作させるために前記駆動プレート（３）の穴（３Ａ）を通って前記ばね（７）に反して前記クリック（５）に当接し、前記フック（６）の前記爪（６）が、その位置に応じて、下流段階（１）に含まれる筒部ラチェット（１１）の枢動を可能にするか、または阻止し、前記筒部ラチェット（１１）が、前記筒部（４）において同軸に枢動するように、かつ第１のアワーラチェット（１３）と一体に前記軸（Ｄ）の周りで枢動するように取り付けられる前記時打ち機構ユニット（２）において、
前記枢動する下流段階（１）がさらに、前記軸（Ｄ）の周りで枢動する少なくとも１つの第２のアワーラチェット（１５）を含み、前記第２のアワーラチェット（１５）の歯列が、前記第１のアワーラチェット（１３）の歯列と同方向に傾斜していることを特徴とする、時打ち機構ユニット（２）。
【請求項２】
少なくとも１つの第２のアワーラチェット（１５）が、前記第１のアワーラチェット（１３）と一体に前記軸（Ｄ）の周りで枢動するように取り付けられることを特徴とする、請求項１に記載の時打ち機構ユニット（２）。
【請求項３】
前記第１のアワーラチェット（１３）が、前記軸（Ｄ）上に中心を取られた少なくとも１つの第１の角度区域内に第１の歯列（３３）を含み、前記第２のアワーラチェット（１５）が、前記軸（Ｄ）上に中心を取られた少なくとも１つの第２の角度区域内に第２の歯列（３５）を含み、前記第１の角度区域または前記第２の角度区域の少なくとも一部分が、それぞれ前記第２の角度区域または前記第１の角度区域からずれており、それにより、前記第１のアワーラチェット（１３）と前記少なくとも１つの第２のアワーラチェット（１５）が別々の持上げ部片と協働できるようにすることを特徴とする、請求項１に記載の時打ち機構ユニット（２）。
【請求項４】
前記第１のアワーラチェット（１３）が、前記軸（Ｄ）上に中心を取られた少なくとも１つの第１の角度区域内に第１の歯列（３３）を含み、第１の角度ピッチ（Ｐ１）で三角形の歯を有し、前記歯の一辺が、前記枢動軸（Ｄ）に向かって延びていることを特徴とする、請求項１に記載の時打ち機構ユニット（２）。
【請求項５】
前記第２のアワーラチェット（１５）が、前記軸（Ｄ）上に中心を取られた少なくとも１つの第２の角度区域内に第２の歯列（３５）を含み、第２の角度ピッチ（Ｐ２）で三角形の歯を有し、前記歯の一辺が、前記枢動軸（Ｄ）に向かって延びていることを特徴とする、請求項１に記載の時打ち機構ユニット（２）。
【請求項６】
前記第２のアワーラチェット（１５）の少なくとも１つの第２の角度区域内に第２の歯列（３５）の第２の角度ピッチ（Ｐ２）が、前記第１のアワーラチェット（１３）の少なくとも１つの第１の角度区域内に第１の歯列（３３）の第１の角度ピッチ（Ｐ１）と等しいことを特徴とする、請求項１に記載の時打ち機構ユニット（２）。
【請求項７】
さらに、前記第１のアワーラチェット（１３）と一体に前記軸（Ｄ）の周りで枢動するように取り付けられたラックピニオン（１４）を含むことを特徴とする、請求項１に記載の時打ち機構ユニット（２）。
【請求項８】
クォーターラックピニオン（１９）を含み、前記クォーターラックピニオン（１９）が、前記筒部ラチェット（１１）に設けられた筒部（１６）において枢動可能であり、前記クォーターラックピニオン（１９）がピン（２１）を支持し、前記筒部（１６）が、前記ユニット（２）に設けられたフィンガ（２２）を枢動させる手段（１８）を含み、前記フィンガ（２２）が、前記軸（Ｄ）の周りで枢動可能であり、前記ピン（２１）と協働するための支承面（２３）を含み、前記フィンガ（２２）を駆動させることができる単一の枢動方向で前記クォーターラックピニオン（１９）が枢動するときに前記ユニット（２）を枢動させることを特徴とする、請求項１に記載の時打ち機構ユニット（２）。
【請求項９】
さらに、一方では、前記第１のアワーラチェット（１３）と協働する、第１のハンマ（１０８）を振るための第１の持上げ部片（５８）を含み、他方では、前記第１のハンマ（１０８）を振るための第１の持上げ部片（５８）とは異なり、前記少なくとも１つの第２のアワーラチェット（１５）と協働するための第２のハンマ（１０６）を振るための第２の持上げ部片（５６）を含み、さらに、前記フック（６）を動作させることによって前記時打ち機構ユニット（２）の枢動を制御する時打ち機構制御機構（１０）を含むことを特徴とする、請求項１に記載の時打ち機構ユニット（２）を含むリピータ時打ち機構（１００）。
【請求項１０】
駆動アーバー（１２０）を含み、前記駆動アーバー（１２０）が、枢動軸（Ｄ）の周りで枢動できるように取り付けられ、前記時打ち機構ユニット（２）が、前記第１の持上げ部片（５８）および前記第２の持上げ部片（５６）を制御するように前記駆動アーバー（１２０）に取り付けられることを特徴とする、請求項１から９のいずれか一項に記載のリピータ時打ち機構（１００）。
【請求項１１】
前記時打ち機構制御機構（１０）が解放レバー（１０５）を含み、前記解放レバー（１０５）が、直接、または前記レバー（１０５）に含まれるクリック（１０９）を介して、前記時打ち機構ユニット（２）の枢動を制御することを特徴とする、請求項９に記載のリピータ時打ち機構（１００）。
【請求項１２】
前記第１のアワーラチェット（１３）が、前記軸（Ｄ）上に中心を取られた少なくとも１つの第１の角度区域内に第１の歯列（３３）を含み、前記第２のアワーラチェット（１５）が、前記軸（Ｄ）上に中心を取られた少なくとも１つの第２の角度区域内に第２の歯列（３５）を含み、前記第１の角度区域または前記第２の角度区域の少なくとも一部分が、それぞれ前記第２の角度区域または前記第１の角度区域からずれており、それにより、前記第１のアワーラチェット（１３）と前記少なくとも１つの第２のアワーラチェット（１５）が別々の持上げ部片と協働でき、
前記第１のアワーラチェット（１３）が、前記軸（Ｄ）上に中心を取られた少なくとも１つの第１の角度区域内に前記第１の歯列（３３）を含み、第１の角度ピッチ（Ｐ１）で三角形の歯を有し、前記歯の一辺が、前記枢動軸（Ｄ）に向かって延び、
前記第２のアワーラチェット（１５）が、前記軸（Ｄ）上に中心を取られた少なくとも１つの第２の角度区域内に前記第２の歯列（３５）を含み、第２の角度ピッチ（Ｐ２）で三角形の歯を有し、前記歯の一辺が、前記枢動軸（Ｄ）に向かって延び、
前記第１のアワーラチェット（１３）の前記第１の歯列（３３）と前記第２のアワーラチェット（１５）の前記第２の歯列（３５）とが、前記軸（Ｄ）に対してある中心角だけ角度をずらされ、前記中心角が、一方として、前記軸（Ｄ）と第１のハンマ（１０８）を振るための第１の持上げ部片（５８）の枢動軸を結んだ線と、前記軸（Ｄ）と第２のハンマ（１０６）を振るための第２の持上げ部片（５６）の枢動軸を結んだ線とによって形成される中心角（ＡＣ）の値と、他方として、前記第１の角度ピッチ（Ｐ１）と第２の角度ピッチ（Ｐ２）の小さい方よりも小さい値の角度シフト（ＤＡ）との和であることを特徴とする請求項９に記載のリピータ時打ち機構（１００）。
【請求項１３】
前記第１のアワーラチェット（１３）と一体に前記軸（Ｄ）の周りで枢動するように取り付けられたラックピニオン（１４）を駆動するためのラック（１１５）を含むことを特徴とする、請求項９に記載のリピータ時打ち機構（１００）。
【請求項１４】
前記筒部ラチェット（１１）に含まれる筒部（１６）において枢動可能なクォーターラックピニオン（１９）を駆動するためのクォーターラックを含み、前記クォーターラックピニオン（１９）がピン（２１）を支持し、前記筒部（１６）が、前記ユニット（２）に含まれるフィンガ（２２）を枢動させる手段（１８）を含み、前記フィンガ（２２）が、前記軸（Ｄ）の周りで枢動可能であり、前記ピン（２１）に対する支承面（２３）を含み、前記フィンガ（２２）を駆動させることができる単一の枢動方向で前記クォーターラックが枢動するときに前記時打ち機構ユニット（２）を枢動させることを特徴とする、請求項９に記載のリピータ時打ち機構（１００）。
【請求項１５】
カム（５１）を含み、前記カム（５１）が、第１の期間と第２の期間を区別する情報を前記時打ち機構（１００）に提供して、前記第１の期間中に前記第１のアワーラチェット（１３）と第２のアワーラチェット（１５）のどちらか一方のみを操作し、前記第２の期間中に他方を操作する、または前記第１のアワーラチェット（１３）と第２のアワーラチェット（１５）の両方を操作することを特徴とする、請求項９に記載の時打ち機構（１００）。
【請求項１６】
前記カム（５１）が、前記第１の期間に対応する少なくとも１つの第１の経路（５２）と、前記第２の期間に対応する少なくとも１つの第２の経路（５３）とを含み、前記第２の持上げ部片（５６）に設けられた持上げ部片レバー（５７）と協働する爪（５５）を含むフィーラースピンドル（５４）に設けられたフィンガ（５４Ａ）が各前記経路（５２、５３）を進み、前記フィンガが前記第１の期間または前記第２の期間に対応する経路を進むときには、前記持上げ部片レバー（５７）を引っ掛けて、それにより前記持上げ部片を係止し、また前記フィンガがそれぞれ前記第２の期間または前記第１の期間に対応する経路を進むときには、前記リフティングレバー（５７）が通り過ぎて前記第２の持上げ部片（５６）が枢動できるようにすることを特徴とする、請求項１５に記載の時打ち機構（１００）。
【請求項１７】
前記カム（５１）が２４時間カムであり、前記第１の期間が午前中であり、前記第２の期間が午後である、またはその逆であることを特徴とする、請求項１６に記載の時打ち機構（１００）。
【請求項１８】
前記第２の持上げ部片（５６）が、前記第１のハンマ（１０８）および／または前記第２のハンマ（１０６）を駆動することを特徴とする、請求項９に記載の時打ち機構（１００）。
【請求項１９】
少なくとも１つの時計ムーブメント（２００）と、請求項９に記載の少なくとも１つの時打ち機構（１００）とを含み、前記時計ムーブメント（２００）が前記時打ち機構（１００）を制御する、時計（１０００）。
【発明の詳細な説明】
【技術分野】
【０００１】
本発明は、時計のリピータ時打ち機構用の時打ち機構ユニットであって、枢動軸の周りで枢動できるように取り付けられた筒部を備える駆動プレートを含み、駆動プレートがクリックを支持し、このクリックが、ばねによって軸に向けて戻される爪の付いたフックを備え、前記機構ユニットがさらに移動止めラチェットを含み、この移動止めラチェットが、軸の周りで枢動し、ピンを支持し、前記移動止めラチェットが枢動するときに、ピンが、フックを動作させるために駆動プレートの穴を通ってばねに反してクリックに当接し、フックの爪が、その位置に応じて、下流段階に含まれる筒部ラチェットの枢動を可能にするか、または阻止し、筒部ラチェットが、筒部において同軸に枢動するように、かつ第１のアワーラチェットと一体に軸の周りで枢動するように取り付けられる時打ち機構ユニットに関する。
【０００２】
また、本発明は、このタイプの時打ち機構ユニットを含むリピータ時打ち機構に関する。
【０００３】
また、本発明は、このタイプの少なくとも１つの時計ムーブメントおよび少なくとも１つの時打ち機構を含む時計に関する。
【０００４】
本発明は、腕時計学の分野に関し、より詳細には、時打ち機構、特にリピータを含む時計の分野に関する。
【背景技術】
【０００５】
リピータ時打ち機構は、構成要素が多く、製造および組立て操作に慎重さを要し時間がかかるという点で、特別な時計である。時打ち機構を備える複雑時計は、少なくとも１８世紀から知られているが、１７６３年から２０世紀中頃までは、いくつかの文献でしか主題とされていなかった。複雑時計、特にグランソヌリおよびリピータの製作者によく知られている参考文献は、Ｆｒａｎｃｏｉｓ  Ｌｅｃｏｕｌｔｒｅ著、Ｅｄｉｔｉｏｎｓ  Ｈｏｒｌｏｇｅｒｅｓ（Ｂｉｅｎｎｅ）編の「Ｌｅｓ  ｍｏｎｔｒｅｓ  ｃｏｍｐｌｉｑｕｅｅｓ」（「複雑腕時計」）（非特許文献１）であり、本発明の説明が紛らわしくならないように、この参考文献を参照として組み込む。
【０００６】
ＲＯＴＨ  ＆  ＧＥＮＴＡ  ＨＡＵＴＥ  ＨＯＲＬＯＧＥＲＩＥの欧州特許出願公開第１４２９２１４Ａ１号（特許文献１）に、時打ち機構が動作している間に時間設定機構の作動を防止する機構が開示されており、この機構は、時間設定レバーを係止する手段を備え、静止位置と動作位置の間で移動させることができる時打ち機構の可動部品にレバーを接続する。この係止手段は、可動部品がその静止位置から動かされて離れるやいなやレバーを係止する。この機構は、歯付き区域に加えて、筒部ラチェット、アワーラチェット、移動止めラチェットを含み、歯付き区域はクォーターラックと噛み合うようになっており、自由に枢動するように構成され、フィンガによって駆動することができる。この区域およびラックピニオンは、時打ち機構が始動されると解放される。
【０００７】
ＰＡＴＥＫ  ＰＨＩＬＩＰＰＥ  ＳＡのスイス特許出願公開第６８９３３７Ａ５号（特許文献２）には、４つのクォーターラックおよび４つのクォーターカムを備える、各クォーターごとに異なる音を鳴らすチャイム時計が開示されている。この時計は、筒部ラチェット、アワーラチェット、および移動止めラチェットを含む。
【０００８】
ＳＥＩＫＯ  ＥＰＳＯＮ  ＣＯＲＰの欧州特許出願公開第１８７９０８６Ａ１号（特許文献３）には、駆動ラチェット、移動止めラチェット、および単一のアワーラチェットを備える時打ち腕時計が開示されている。
【０００９】
ＣＨＲＩＳＴＯＰＨＥ  ＣＬＡＲＥＴの欧州特許出願公開第１７７０４５３Ａ１号（特許文献４）には、２つの時間帯に対応する打音の選択を可能にするための複式時打ち機構が提示されている。
【００１０】
ＤＵＢＯＩＳ  ＆  ＤＥＰＲＡＺのスイス特許第６３３３７６Ｄ号（特許文献５）には、ムーブメントプレートに固定された独立したフレームによって機構が完全に支持されたリピータ腕時計が開示されている。
【先行技術文献】
【特許文献】
【００１１】
【特許文献１】欧州特許出願公開第１４２９２１４Ａ１号
【特許文献２】スイス特許出願公開第６８９３３７Ａ５号
【特許文献３】欧州特許出願公開第１８７９０８６Ａ１号
【特許文献４】欧州特許出願公開第１７７０４５３Ａ１号
【特許文献５】スイス特許第６３３３７６Ｄ号
【非特許文献】
【００１２】
【非特許文献１】Ｆｒａｎｃｏｉｓ  Ｌｅｃｏｕｌｔｒｅ著、Ｅｄｉｔｉｏｎｓ  Ｈｏｒｌｏｇｅｒｅｓ（Ｂｉｅｎｎｅ）編の「Ｌｅｓ  ｍｏｎｔｒｅｓ  ｃｏｍｐｌｉｑｕｅｅｓ」（「複雑腕時計」）
【発明の概要】
【発明が解決しようとする課題】
【００１３】
本発明は、午前と午後、昼と夜、または第１の時間帯と第２の時間帯など、様々な異なる状況に応じて異なる打音または音を鳴らすことができるようにする時計を提案することによって、従来技術に勝る時計を提案する。
【課題を解決するための手段】
【００１４】
したがって、本発明は、時計のリピータ時打ち機構用の時打ち機構ユニットに関し、このユニットは、枢動軸の周りで枢動できるように取り付けられた筒部を備える駆動プレートを含み、駆動プレートがクリックを支持し、クリックが、ばねによって軸に向けて戻される爪の付いたフックを備え、ユニットがさらに移動止めラチェットを含み、移動止めラチェットが、軸の周りで枢動し、ピンを支持し、移動止めラチェットが枢動するときに、ピンが、フックを動作させるために駆動プレートの穴を通ってばねに反してクリックに当接し、フックの爪が、その位置に応じて、下流段階に含まれる筒部ラチェットの枢動を可能にするか、または阻止し、筒部ラチェットが、筒部において同軸に枢動するように、かつ第１のアワーラチェットと一体に軸の周りで枢動するように取り付けられ、かつこのユニットは、枢動する下流段階がさらに、軸の周りで枢動する少なくとも１つの第２のアワーラチェットを含み、第２のアワーラチェットの歯列が、第１のアワーラチェットの歯列と同方向に寄っていることを特徴とする。
【００１５】
さらに、本発明は、このタイプの時打ち機構ユニットを備えるリピータ時打ち機構に関し、この機構は、一方では、第１のアワーラチェットと協働する、第１のハンマを振るための第１の持上げ部片をさらに含み、他方では、第１の持上げおよび打撃部片とは異なる第２のハンマを振り、少なくとも１つの第２のアワーラチェットと協働する第２の持上げ部片をさらに含み、さらに、フックを動作させることによって時打ち機構ユニットの枢動を制御する時打ち機構制御機構を含むことを特徴とする。
【００１６】
さらに、本発明は、少なくとも１つの時計ムーブメントおよび少なくとも１つの時打ち機構を含む時計に関し、時計ムーブメントは、時打ち機構を制御するように構成される。
【００１７】
本発明の他の特徴および利点は、添付図面を参照しながら以下の詳細な説明を読めばより明瞭に理解されよう。
【図面の簡単な説明】
【００１８】
【図１】本発明による、時計機構、リピータ時打ち機構、時打ち機構ユニット、および時打ち機構ユニットの下流段階を備える時計の概略ブロック図である。
【図２】本発明による時打ち機構と時打ち機構ユニットの下流段階とを含むリピータ時打ち機構の概略部分図である。
【図３】本発明による下流段階を備える時打ち機構ユニットの概略部分分解図である。
【図４】本発明による時打ち機構ユニットの下流段階の概略斜視図である。
【図５】図４の下流段階の概略平面図である。
【図６】平面ＡＡに沿った図５の時計の概略断面図である。
【図７】平面ＢＢに沿った図５の時計の概略断面図である。
【図８】図４の下流段階に含まれる第１のアワーラチェットの概略斜視図である。
【図９】図４の下流段階に含まれる第２のアワーラチェットの概略斜視図である。
【図１０】図４の下流段階に含まれるラックピニオンの概略斜視図である。
【図１１】駆動アーバーと組み立てられて協働する図３の円錐滑車モジュールの概略斜視図である。
【図１２】図１１と同様であるが、反対側から見た部分図である。
【図１３】図３の時打ち機構ユニットに含まれる駆動プレートの概略斜視図であり、駆動プレートにクリックが取り付けられ、クリックは、爪の付いたフックを有し、ばねを備え、図示したクリックが、やはり時打ち機構ユニットに属する移動止めラチェットに含まれるピンと協働し、駆動プレートが、移動止めラチェット、およびやはり時打ち機構ユニットに含まれるホイールと組み立てられている。
【図１４】図１３のサブアセンブリの概略上面図である。
【図１４Ａ】クリック爪と移動止めラチェットとの協働の、簡略化した概略部分平面図である。
【図１５】図１３の平面ＡＡに沿った図３のサブアセンブリの概略部分断面図である。
【図１６】図１３のサブアセンブリの概略底面図である。
【図１７】図１４の平面ＢＢに沿った図１３のサブアセンブリの概略部分断面図である。
【図１８】図１４の平面ＣＣに沿った図１３のサブアセンブリの概略部分断面図である。
【図１９】図１３のサブアセンブリの移動止めラチェットの概略斜視図である。
【図２０】図１３のサブアセンブリの駆動プレートのみの概略斜視図である。
【図２１】図２のリピータ時打ち機構に含まれる期間基準カムの概略斜視図である。
【図２２】図２１のカムと協働するようになっているフィーラースピンドルを備える図２のリピータ時打ち機構の詳細の概略部分斜視図である。
【図２３】持上げ部片が枢動できるようにする位置での、図２のリピータ時打ち機構に含まれるハンマ持上げ部片に対する図２２のフィーラースピンドルの概略底面図である。
【図２４】持上げ部片を係止する位置でのフィーラースピンドルを示す図２３と同様の図である。
【発明を実施するための形態】
【００１９】
本発明は、腕時計学の分野に関し、より詳細には、リピータ時打ち機構を含む時計の分野に関する。
【００２０】
図１に、複雑な時計１０００、特に腕時計の構成を示す。この時計１０００は、リピータ時打ち機構１００を制御する時計ムーブメント２００を従来の様式で含む。リピータ時打ち機構は、時計ムーブメント２００と連係する時打ち機構制御機構を含む。
【００２１】
図２に、本発明によるリピータ時打ち機構１００の一部を示す。グランソヌリまたはリピータ時打ち機構、特にミニッツリピータの従来の構成要素を全部は図示していない。当業者は、前述の論文「Ｌｅｓ  ｍｏｎｔｒｅｓ  ｃｏｍｐｌｉｑｕｅｅｓ」（非特許文献１）を参照して、これらの構成要素の通常の組合せを把握することができる。
【００２２】
図２に、時打ち機構の情報収集部材、すなわちアワースネール１０１、クォータースネール１０２、およびサプライズ１０３Ａを備えるミニッツスネール１０３を示す。解放レバー１０５が図示されており、解放レバー１０５は、ばね１０７およびクリック１０９を備え、クリック１０９は、本明細書で以下に述べる移動止めラチェット９と協働するようになっている。ミニッツラック１１０およびクォーターラック１１１が見えており、また、時間の回数だけ打ち鳴らすために、ゴング１１７の下に配置されたゴング（図示せず）を第１のハンマ１０８で打ち鳴らす第１の持上げ部片５８と、ゴング１１７と協働する第２のハンマ１０６を振るための第２の持上げ部片５６がある。図が見づらくならないようにゴングは１つだけ示す。分の回数だけ打ち鳴らすために、持上げ部片１１２が小さなハンマ１１３を駆動する。時打ち機構を巻き取るためのラック１１５が一部見えている。これは、本明細書で以下に述べるラックピニオン１４と協働するようになっている。ミニッツフック１１６がクォーターラック１１１に固定されて、打ち鳴らすべき分の回数およびクォーターの回数に応じて時打ち機構を制止し、この機構がクォーターと分の間で空転するのを防止する。したがって、ミニッツラック１１０は常に同じ静止位置で停止する。
【００２３】
時打ち機構１００は駆動手段を含み、これは好ましくは実際の時計ムーブメント２００のものとは異なる。本明細書では、この駆動手段について詳細には説明しない。この駆動手段は、一般には使用者がラックプッシュ部片などに作用を及ぼすことによって動力を与えられるぜんまい箱やばねなどの形態を取ることができる。この駆動手段は、１回または複数回の時打ちを動作させるのに必要なエネルギーを提供する。本明細書では単純に、時打ち機構の音を発生するホイールセットにエネルギーを伝達する駆動アーバー１２０で表す。
【００２４】
この駆動アーバー１２０は、従来の様式で時打ち機構ユニット２を稼動させる。本発明は、より詳細には、新規の機能を提供することができるようにするこのユニット２の特別な構成に関する。より詳細には、本発明は、ユニット２の下流段階１に関し、この段階１は、時打ち機構ユニット２の最も下流の段階であり、すなわち、時打ち機構１００に含まれる１つまたは複数のハンマ持上げ部片５８、５６にエネルギーを直接伝達して、１つまたは複数のハンマによるゴング１１７やベルなどの打ち鳴らしを作動させる段階である。
【００２５】
図３に示し、本明細書で説明する時打ち機構ユニット２は従来型のものである。しかし、本発明を別の構成に適合させることもできる。通常は、このユニット２は、枢動軸Ｄの周りで枢動できるように取り付けられた筒部４を有する駆動プレート３を含む。
【００２６】
この駆動プレート３がクリック５を支持する。クリック５は、ばね７によって軸Ｄに向かって戻される爪６Ａの付いたフック６を含む。
【００２７】
ユニット２は移動止めラチェット９を含み、移動止めラチェット９は、特に図２の場合には時打ち機構制御機構１０と協働するように構成され、解放レバー１０５のクリック１０９によって駆動される。図１９に示すこの移動止めラチェット９はピン８を支持し、ピン８は、駆動プレート３の穴３Ａを通ってクリック５に作用することができる。したがって、このクリック５は、このピン８の作用によって、ばね７に反して好ましくはほぼ半径方向に、すなわちプレート３の周縁部に向かって移動可能である。
【００２８】
図４に示すように、下流段階１は筒部ラチェット１１を含み、筒部ラチェット１１は、軸Ｄの周りで枢動できるように駆動プレート３の筒部４に取り付けられるように構成される。図１４Ａに示すように、この筒部ラチェット１１は、設けられた歯列１２によってフック６の爪６Ａと協働するようになっている。爪６Ａは、その位置に応じて、筒部ラチェット１１の枢動を可能にするか、または阻止する。
【００２９】
この筒部ラチェット１１は、第１のアワーラチェット１３と一体に軸Ｄの周りで枢動するように取り付けられ、第１のアワーラチェット１３は、このタイプのリピータ時打ち機構１００に含まれるハンマを振るための第１の持上げ部片５８と協働するように構成される。
【００３０】
本発明は、より詳細には、時計のリピータ時打ち機構１００用の時打ち機構ユニット２に関し、ユニット２は、枢動軸Ｄの周りで枢動できるように取り付けられた筒部４を有する駆動プレート３を含み、駆動プレート３はクリック５を支持し、クリック５は、ばね７によって軸Ｄに向かって戻される爪６Ａの付いたフック６を含む。さらに、このユニット２は移動止めラチェット９を含み、移動止めラチェット９は、軸Ｄの周りで枢動し、ピン８を支持し、ピン８は、移動止めラチェット９が枢動するときに駆動プレート３の穴３Ａを通ってばね７に反してクリック５に当接して、フック６を動作させる。フック６の爪６Ａは、その位置に応じて、下流段階１に含まれる筒部ラチェット１１の枢動を可能にするか、または阻止し、筒部ラチェット１１は、筒部４において同軸で枢動するように、かつ第１のアワーラチェット１３と一体に軸Ｄの周りで枢動するように取り付けられる。
【００３１】
本発明によれば、この枢動する下流段階１は、軸Ｄの周りで枢動する少なくとも１つの第２のアワーラチェット１５をさらに含み、第２のアワーラチェット１５の歯列は、第１のアワーラチェット１３の歯列と同方向に寄っている。
【００３２】
本発明によれば、図４に示すように、下流段階１は、少なくとも１つの第２のアワーラチェット１５をさらに含み、第２のアワーラチェット１５は、軸Ｄの周りで枢動可能であるように、かつこのタイプのリピータ時打ち機構１０に含まれるハンマ持上げおよび打撃部片と協働するように構成される。このハンマ持上げおよび打撃部片は、第１の持上げ部片５８と同じでもよいが、好ましくは、同じ時打ち機構１００に属する第２のハンマ持上げおよび打撃部片５６である。
【００３３】
本明細書では以下、第２のアワーラチェットがただ１つである好ましい場合に関して本発明を説明する。しかし、必要であれば、異なる持上げ部片の作動を制御するために、より多数のアワーラチェットを備えるような設計を企図することもできることは当業者には明らかである。実際、本明細書で以下に述べるように、本発明の原理は、様々な状況に応じて異なる打音または音を発生することができるようにするものである。本明細書では、午前と午後、すなわちＡＭとＰＭで異なる場合について本発明を述べるが、同様に他の期間に適用することもでき、そのような期間は、長さが等しくても等しくなくてもよい。
【００３４】
好ましくは、この少なくとも１つの第２のアワーラチェット１５は、第１のアワーラチェット１３と一体に軸Ｄの周りで枢動するように取り付けられる。本明細書では詳細には説明しない一変形形態では、第２のラチェット１５は、例えば長円形の穴とピンを組み合わせることによって、第１のラチェット１３に対して軸Ｄの周りで枢動できる角度可動性を有することができる。
【００３５】
好ましくは、図面に示すように、第１のアワーラチェット１３は、軸Ｄ上に中心を取った少なくとも１つの第１の角度区域内に歯列３３を含む。第２のアワーラチェット１５も同様に、軸Ｄ上に中心を取った少なくとも１つの第２の角度区域内に歯列３５を含む。有利には、第１の角度区域または第２の角度区域の少なくとも一部が、それぞれ第２の角度区域または第１の角度区域からずれており、それにより、第１のアワーラチェット１３と少なくとも１つの第２のアワーラチェット１５が、異なる持上げ部片と協働できるようになっており、図面に示した特定の場合には、少なくとも１つの第２のアワーラチェット１５が、第１のアワーラチェット１３と協働するように構成された第１の持上げおよび打撃部片５８とは異なる第２の持上げおよび打撃部片５６と協働できるようになっている。
【００３６】
好ましくは、歯列３３は、軸Ｄ上に中心を取った少なくとも１つの第１の角度区域にわたって広がり、第１の角度ピッチＰ１で三角形の歯を有し、その一辺が枢動軸Ｄに向かって延びている。
【００３７】
同様に、好ましくは、歯列３５は、軸Ｄ上に中心を取った少なくとも１つの第２の角度区域にわたって広がり、第２の角度ピッチＰ２で三角形の歯を有し、その一辺が枢動軸Ｄに向かって延びている。
【００３８】
好ましくは、図２に示すように、時計１０００の厚さを抑えるためにハンマ１０８と１０６をずらすことができるように、対応する持上げ部片５６および５８が引き離される。したがって、好ましくは、第１のラチェット１３の歯列３３と第２のラチェット１５の歯列３５は、軸Ｄに対してある中心角だけ角度をずらされ、この角度は、図４に示すように、一方として、枢動軸Ｄと第１の持上げおよび打撃部片５８の枢動軸を結んだ線と、枢動軸Ｄと第２の持上げおよび打撃部片５６の枢動軸を結んだ線とによって成される中心角ＡＣの値と、他方として、第１の角度ピッチＰ１と第２の角度ピッチＰ２の小さい方よりも小さい値の角度シフトＤＡとの和である。この値ＤＡはゼロでもよいが、明瞭に聞こえる連続音または変調音を生み出すことができる値であるとき、例えばミリ秒のオーダーでの時間差に対応する値ＤＡであるときに音響効果がより良い。
【００３９】
図面に示す好ましい構成では、第２の角度ピッチＰ２が第１の角度ピッチＰ１と等しい。
【００４０】
好ましくは、下流段階１はさらにラックピニオン１４を含み、ラックピニオン１４は、第１のアワーラチェット１３と一体に軸Ｄの周りで枢動するように取り付けられ（図１０参照）、このタイプのリピータ時打ち機構１００に含まれるラック１１５と協働するように構成される。
【００４１】
さらに、本発明は、枢動軸Ｄの周りで枢動できるように取り付けられた筒部４を備える駆動プレート３を含むリピータ時打ち機構１００用のこのタイプの時打ち機構ユニット２に関し、駆動プレート３はクリック５を支持し、クリック５は、ばね７によって軸Ｄに向けて戻される爪６Ａの付いたフック６を備え、またクリック５は、ユニット２の移動止めラチェット９に設けられたピン８の作用によってばね７に反して移動可能であり、移動止めラチェット９は時打ち機構制御機構１０と協働するように構成される。本発明によれば、このユニット２は、前述したような下流段階１を少なくとも１つ含む。
【００４２】
好ましくは、筒部ラチェット１１の筒部１６は円筒形ショルダ１７を含み、円筒形ショルダ１７は、ユニット２に含まれる枢動可能なクォーターラックピニオン１９（図３）を受け取るように構成される。このピニオン１９は、このタイプの時打ち機構１００のクォーターラック１１１と協働するように構成され、ピン２１を支持する。
【００４３】
したがって、時打ち機構ユニット２は、筒部ラチェット１１に設けられた筒部１６において枢動可能なクォーターラックピニオン１９を含み、クォーターラックピニオン１９は好ましくはピン２１を支持する。この筒部１６は、ユニット２に設けられたフィンガ２２を枢動させる手段１８を含み、フィンガ２２は、軸Ｄの周りで枢動可能であり、ピン２１と協働するための支承面２３を含み、フィンガ２２を駆動させることができる単一の枢動方向でクォーターラックピニオン１９が枢動するときにユニット２を枢動させる。
【００４４】
この筒部１６は、ユニット２に設けられたフィンガ２２に関して、例えばケリーブッシングなどの形態での枢動駆動手段１８を含む。図３に示すこのフィンガ２２は支承面２３を含み、支承面２３は、ピン２１と協働してピニオン１９を駆動するように構成される。フィンガ２２は、下流段階１と一体であり、またはケリーブッシングを介して下流段階１に固定され、それにより、ピニオン１９が、クォーターラック１１１のみによって設定される位置に停止できるようにする。したがって、支承面２３とピン８の間の角度シフトは、時打ち機構が始動する前に、打ち鳴らすべき時間の回数に応じて増加する。
【００４５】
好ましくは、駆動プレート３の筒部４は、リピータ時打ち機構１００の駆動アーバー１２０と協働するように構成された、例えばケリーブッシングなどの形態の枢動駆動手段を含む。
【００４６】
駆動プレート３は、このタイプのリピータ時打ち機構１００に含まれる時打ち機構制御機構１０もしくは解放レバー１０５またはこのタイプのレバー１０５のクリック１０９の作用によってフック６を動作させるために、移動止めラチェット９のピン８が通る穴３Ａを含む。
【００４７】
図１３乃至図１９は、下流段階１を支持するようになっている時打ち機構ユニット２の下部サブアセンブリの詳細な組立てを示す。図１５〜図１８が１つの特定の変形形態を示し、この変形形態では、移動止めラチェット９は、時打ち機構１０の他の機能のために使用される別個のホイール１１８と並置され、それぞれピンを介してフック５に作用することができるが、同時には作用できない。この特定の変形形態はまた、他の用途のための周縁歯列１１９を備える駆動プレート３も含む。
【００４８】
図面に示すように、本発明による機構は、ミニッツリピータまたはグランソヌリのために使用することができる。特にグランソヌリの場合には、時計ムーブメント２００は、スネール１０１、１０２、および１０３を駆動し、これらが常に正確な時刻基準を与えている。自動で行われるにせよ手動で行われるにせよ、時打ち機構の解放により、解放レバー１０５の第１のクリック１０９が移動止めラチェット９に対して作用し、ラチェットを枢動させる。したがって、ラチェット９によって支持されたピン８は、駆動プレート３の穴３Ａ内で移動してフック６を押し、それにより、ばね７の静止位置でフック６の爪６Ａと噛み合っていた筒部ラチェット１１の歯列１２を解放する。すると、下流段階１が、軸Ｄの周りで自由に枢動することができるようになる。クォーターラック１１１およびミニッツラック１１０と協働するばねの作用により、下流段階１はラックピニオン１４の作用によって枢動され、ラックピニオン１４は、ラックアームがアワースネール１０１に突き当たって停止するまでラック１１５によって連続的に駆動される。クォーターラック１１１のばねは、クォーターラック１１１のアームがクォータースネール１０２に突き当たって停止するまでクォーターラックピニオン１９を駆動する。ミニッツラック１１０のアームは、クォーターラック１１１の移動により、従来の様式でミニッツスネール１０３に位置される。時打ち機構が稼動されるとき、ピン８が解放され、ばね７が、筒部ラチェット１１の歯列１２によって下流段階１を再び結合させ、歯列１２はフック６の爪６Ａに噛み合わされ、爪６Ａが、様々な持上げ部片をそれぞれのハンマに対して作動させる。
【００４９】
また、本発明は、このタイプの時打ち機構ユニット２を含むリピータ時打ち機構１００に関する。本発明によれば、リピータ時打ち機構はまた、一方では、第１のアワーラチェット１３と協働する、第１のハンマ１０８を振る第１の持上げ部片５８を含み、他方では、第１の持上げおよび打撃部片５８とは異なる、少なくとも１つの第２のアワーラチェット１５と協働する第２の持上げ部片５６を含み、さらに、フック６を動作させることによって時打ち機構ユニット２の枢動を制御する時打ち機構制御機構１０を備える。
【００５０】
このリピータ時打ち機構１００は、枢動軸Ｄの周りで枢動できるように取り付けられた駆動アーバー１２０を含み、駆動アーバー１２０に時打ち機構ユニット２が取り付けられ、時打ち機構１００に含まれる第１の持上げ部片５８と第２の持上げ部片５６を制御して、少なくとも１つのハンマ１０８を作動させる。時打ち機構１００は、時打ち機構ユニット２の枢動を制御するように構成された主時打ち機構制御機構１０、および／もしくは解放レバー１０５、ならびに／またはレバー１０５のクリック１０９を含む。１つの好ましい実施形態では、時打ち機構制御機構１０は解放レバー１０５を含み、直接、またはレバー１０５に設けられたクリック１０９を介して時打ち機構ユニット２の枢動を制御する。
【００５１】
時打ち機構１００は、第１の持上げ部片５８によって作動されるように構成された少なくとも１つの第１のハンマ１０８と、第２の持上げ部片５６によって作動されるように構成された好ましくは少なくとも１つの第２のハンマ１０６とを含む。
【００５２】
本発明の有利な特徴によれば、時打ち機構１００は、図２１に示すカム５１を含み、カム５１は、第１の期間と第２の期間を区別する情報を時打ち機構１００に与えるように構成され、第１の期間中に第１のアワーラチェット１３と第２のアワーラチェット１５のどちらか一方のみを操作し、第２の期間中に他方を操作する、または第１のアワーラチェット１３と第２のアワーラチェット１５を両方同時に操作する。
【００５３】
図２１に示すように、軸Ｄ１の周りで枢動するカム５１は、第１の期間に対応する第１の経路５２と、第２の期間に対応する第２の経路５３とを含み、枢動フィーラースピンドル５４に設けられたフィンガ５４Ａ（図２２）がそれらの経路を連続的に進む。軸Ｄ２の周りで枢動するこのフィーラースピンドル５４は爪５５を含む。軸Ｄ２は、好ましくは軸Ｄ１と平行であり、これはまた好ましくは軸Ｄと平行である。この爪５５は、フィンガ５４Ａが第１の期間または第２の期間に対応する経路を進むときには、図２４に示すように第２の持上げ部片５６に設けられた持上げ部片の爪５７と協働し、持上げ部片の爪５７に引っ掛かって持上げ部片を係止するように構成され、また、フィンガ５４Ａがそれぞれ第２の期間または第１の期間に対応する経路を進むときには、図２３に示すように持上げ部片の爪５７が通り過ぎて第２の持上げ部片５６が枢動できるようにする。
【００５４】
特定の用途では、第１の期間は午前であり、第２の期間は午後であり、またはその逆である。このとき、カム５１は２４時間カムであり、時打ち機構の下に位置され、歯車比１／２で筒車によって駆動される。カムは２４時間で１回転する。
【００５５】
このカム５１を図２１に示し、カム５１は、フィーラースピンドル５４のフィンガ５４Ａが経路５２から経路５３に乗り上がるときに保持状態を保証するためのばね５９を備えている。したがって、フィーラースピンドル５４の爪５５は、上に向かうこの突発的な移動の際に、持上げ部片５６の爪５７に対して浮き上がらないようにしてある。
【００５６】
さらに、カム５１は、日付表示機構用の解放フィンガ１１４を含む。
【００５７】
第２の持上げおよび打撃部片５６は、第１のハンマ１０８および／または第２のハンマ１０６を駆動するように構成される。好ましくは、図面に示すように、第２の持上げおよび打撃部片５６は第２のハンマ１０６のみを駆動する。
【００５８】
午前と午後を区別する時打ち機構のこの用途（好ましいが非限定的である）では、フィンガ５４Ａが午前に対応する経路を進むとき、持上げ部片５６は、その爪５７と、フィーラースピンドル５４のフィンガ５５の爪５５とによって係止される。したがって、午前中は、この持上げ部片５６は動くことができず、第２のハンマ１０６が動作しないようにする。したがって、時打ち機構は、従来の様式で、１つのゴングなどに対して１つのハンマを用いて作動される。
【００５９】
午後には、フィーラースピンドル５４は、持上げ部片５６の爪５７を爪５５から解放し、したがって爪５７が自由に枢動することができるようになる。時打ち機構制御機構１０が時打ち機構ユニット２に対して作用し、下流段階１の枢動を開始させるとき、ラチェット１３および１５がそれぞれ持上げ部片５８および５６を作動させ、これがハンマ１０８および１０６の動作を開始させる。これらの持上げ部片が単一のゴングに対して作用することも可能であるが、共鳴効果が音響的に好ましくないことがあり、２つのハンマ１０８および１０６によって別々のゴングを打ち鳴らすことが使用者にはより好ましい。角度シフトＤＡがゼロの場合、打音は同期する。シフトＤＡがゼロでない場合、例えばバロックリュートやハープシコードの重なり合う音など、変調して延ばされた音の形態で、より好ましい効果が生み出される。
【００６０】
設計上、ユニット１でラチェット１３およびラチェット１５を角度的に移動させることができる場合、かつ位置係止手段が提供されている場合、腕時計製作者は、クライアントの望みに応じて特定のシフトＤＡを調節することができることに留意されたい。
【００６１】
好ましくは、時打ち機構１００では、軸Ｄと第１の持上げおよび打撃部片５８の枢動軸を結んだ線と、軸Ｄと第２の持上げおよび打撃部片５６の枢動軸を結んだ線とが、軸Ｄを中心として中心角ＡＣを成し、第１のアワーラチェット１３は、軸Ｄ上に中心を取った少なくとも１つの第１の角度区域内に第１の角度ピッチＰ１で歯列３３を有し、第２のアワーラチェット１５は、軸Ｄ上に中心を取った少なくとも１つの第２の角度区域内に第２の角度ピッチＰ２で歯列３５を含み、歯列３３と歯列３５は、軸Ｄに対してある中心角だけ角度をずらされ、この角度は、一方として、中心角ＡＣの値と、他方として、第１の角度ピッチＰ１と角度ピッチＰ２の小さい方よりも小さい値の角度シフトＤＡとの和である。
【００６２】
さらに、本発明は、少なくとも１つの時計ムーブメント２００および少なくとも１つの時打ち機構１００を含む時計１０００に関し、時計ムーブメント２００は、時打ち機構１００を制御するように構成される。
【００６３】
本発明は、既存のリピータ時打ち機構を大幅に変更することなく異なる時打ち機構／ストライク機構を製造できるようにする。
【００６４】
また、複数のカム、または複数の経路を有するカムを使用することもできる。特に、要求に応じて時間帯プッシュ部片を時打ち機構の解放と連動させることによって、対象の時間帯に専用のカムを選択することができる。第２の時間帯に専用のハンマとゴングを使用することによって、時打ち機構が示す時刻を容易に聞き分けることができる。本発明の使用に制限はないので、この時間帯の適用を、本明細書で述べたＡＭ／ＰＭでの用途、あるいは昼／夜または他の用途と組み合わせることもできることは明らかである。例えば、適切な適用法を構成することによって、北半球または南半球での日の出の時間を打ち鳴らすことができる。
【００６５】
本明細書で述べるＡＭ／ＰＭでの用途の例に戻ると、本発明の一変形形態では、カムは、持上げ部片５８の結合解除を開始するために使用することもできる。そのような場合、時打ち機構は、午前中に１つのゴングを鳴らし、午後は別のゴングを鳴らす。
【図１】
0005467118.tif 000002
【図２】
0005467118.tif 000003
【図３】
0005467118.tif 000004
【図４】
0005467118.tif 000005
【図５】
0005467118.tif 000006
【図６】
0005467118.tif 000007
【図７】
0005467118.tif 000008
【図８】
0005467118.tif 000009
【図９】
0005467118.tif 000010
【図１０】
0005467118.tif 000011
【図１１】
0005467118.tif 000012
【図１２】
0005467118.tif 000013
【図１３】
0005467118.tif 000014
【図１４】
0005467118.tif 000015
【図１４Ａ】
0005467118.tif 000016
【図１５】
0005467118.tif 000017
【図１６】
0005467118.tif 000018
【図１７】
0005467118.tif 000019
【図１８】
0005467118.tif 000020
【図１９】
0005467118.tif 000021
【図２０】
0005467118.tif 000022
【図２１】
0005467118.tif 000023
【図２２】
0005467118.tif 000024
【図２３】
0005467118.tif 000025
【図２４】
0005467118.tif 000026